(57)【特許請求の範囲】
【請求項１】
上下方向に複数連結されたスラットが巻き上げ・繰出しされて開口部を開閉し、
前記スラットは、開口が形成された固定羽と前記開口を開閉可能な可動羽とを備え、前記可動羽を開閉作動させるようにしたシャッター装置において、
前記スラットが巻き上げられる時には、前記可動羽が前記開口を閉鎖している状態となり、
前記固定羽および前記可動羽の少なくとも一方には、対向する羽側に突出し、前記可動羽が前記開口を閉鎖している状態では、先端部が前記対向する羽と当接するリブが形成され、
前記可動羽が前記開口を閉鎖している状態では、対向する前記固定羽と前記可動羽との間に空間が形成され、
上下方向に隣り合う前記スラットは、上側のスラットの前記固定羽の下部側に設けられたフック部に、下側のスラットの前記可動羽の上部側に設けられた係合部が回動可能に係合されることで連結されて、前記係合部が前記フック部に対して回動することで前記可動羽が前記開口を開閉するように構成され、
前記上側のスラットの前記固定羽が、前記下側のスラットの前記可動羽を上側から押圧すると、前記可動羽が前記開口を開放する方向に前記係合部が前記フック部に対して回動し、
前記上側のスラットの前記固定羽による前記下側のスラットの前記可動羽への上側からの押圧を解除すると、前記可動羽が前記開口を閉鎖する方向に前記係合部が前記フック部に対して回動することを特徴とするシャッター装置。
【請求項２】
前記可動羽は、回動軸を中心に回動して前記開口を開閉していて、
前記リブは、前記回動軸寄りに配置されている請求項１に記載のシャッター装置。
【発明の詳細な説明】
【技術分野】
【０００１】
本発明は、建物の開口部に用いられていて開口部を閉鎖させた状態において採光や通風等が可能なシャッター装置に関する。
【背景技術】
【０００２】
従来、複数のスラットを用いた採光や通風等が可能なシャッターカーテンを有するシャッター装置として、例えば、特許文献１に記載されたシャッター装置が提案されている。
このシャッター装置のシャッターカーテンは、開口が形成された固定羽と、この開口を開閉可能な可動羽とを有するスラットが上下方向に複数連結されていて、建物などの開口部を閉鎖させた状態で可動羽を開閉操作させることができる。
【０００３】
このシャッターカーテンは、上下方向に配列された上側スラットの固定羽で下側のスラットの可動羽を押すことで、下側のスラットの可動羽を回動させて開作動させ、固定羽の開口を通して採光や通風ができるようになっている。さらに、開口を介して外部から室内が視認できないように、可動羽は外部からの視線を遮る位置に配置されている。
【先行技術文献】
【特許文献】
【０００４】
【特許文献１】欧州特許第２０３９８７１号明細書
【発明の概要】
【発明が解決しようとする課題】
【０００５】
しかしながら、このようなシャッター装置では、固定羽と可動羽との間に虫やゴミなどの異物が入り込むことがある。そして、固定羽と可動羽とが異物を挟んだ状態で重なると、この異物を挟んだことによってスラットの厚さが厚くなる。このため、巻き上げたシャッターカーテンを下ろす際に、異物を挟み込んだスラットが他のスラットと引っかかり、シャッターカーテンをスムーズに下ろせず、故障の原因となる可能性がある。
このため、シャッターカーテンを巻き上げる前に、固定羽と可動羽との間に異物が挟まっていないかどうかを確認する必要があり、この確認に労力がかかるという欠点がある。
【０００６】
そこで、本発明は、スラットの固定羽と可動羽とが異物挟んだ状態でも、建物などの開口部をスムーズに開閉することができるシャッター装置を提供することを目的とする。
【課題を解決するための手段】
【０００７】
上記目的を達成するため、本発明に係るシャッター装置は、上下方向に複数連結されたスラットが巻き上げ・繰出しされて開口部を開閉し、前記スラットは、開口が形成された固定羽と前記開口を開閉可能な可動羽とを備え、前記可動羽を開閉作動させるようにしたシャッター装置において、前記スラットが巻き上げられる時には、前記可動羽が前記開口を閉鎖している状態となり、前記固定羽および前記可動羽の少なくとも一方には、対向する羽側に突出し、前記可動羽が前記開口を閉鎖している状態では、先端部が前記対向する羽と当接するリブが形成され、前記可動羽が前記開口を閉鎖している状態では、対向する前記固定羽と前記可動羽との間に空間が形成され、上下方向に隣り合う前記スラットは、上側のスラットの前記固定羽の下部側に設けられたフック部に、下側のスラットの前記可動羽の上部側に設けられた係合部が回動可能に係合されることで連結されて、前記係合部が前記フック部に対して回動することで前記可動羽が前記開口を開閉するように構成され、前記上側のスラットの前記固定羽が、前記下側のスラットの前記可動羽を上側から押圧すると、前記可動羽が前記開口を開放する方向に前記係合部が前記フック部に対して回動し、前記上側のスラットの前記固定羽による前記下側のスラットの前記可動羽への上側からの押圧を解除すると、前記可動羽が前記開口を閉鎖する方向に前記係合部が前記フック部に対して回動することを特徴とする。
【０００８】
本発明では、固定羽と可動羽との間に異物が入り込んだ状態で、可動羽が固定羽の開口を閉鎖しても、異物が固定羽と可動羽との間の空間に収容されるため、この異物を挟んだことによってスラットが厚くなることを防止できる。
【０００９】
また、本発明に係るシャッター装置では、前記固定羽および前記可動羽の少なくとも一方には、対向する羽側に突出し、前記可動羽が前記開口を閉鎖している状態では、先端部が前記対向する羽と当接するリブが形成されている。
このような構成とすることにより、可動羽のリブが形成されていない部分が固定羽と離間するため、固定羽と可動羽との間に確実に空間を形成することができる。
【００１０】
また、本発明に係るシャッター装置では、前記可動羽は、回動軸を中心に回動して前記開口を開閉していて、前記リブは、前記回動軸寄りに配置されていることが好ましい。
このような構成とすることにより、リブは、可動羽の回動軸と離間する側に配置されている場合と比べて、可動羽が固定羽の開口を開口している状態から閉鎖している状態となる際の軌跡を小さくすることができる。このため、リブは、可動羽の回動軸と離間する側に配置されている場合と比べて、リブが固定羽と接触した際の衝撃を小さくすることができ、接触音を低減させることができる。
【発明の効果】
【００１１】
本発明によれば、固定羽と可動羽との間に異物が入り込んだ状態で、可動羽が固定羽の開口を閉鎖しても、スラットが厚くなることを防止できるため、異物を挟んだスラットが他のスラットに引っ掛かることがなく、固定羽と可動羽とが異物を挟んだ状態でも建物などの開口部をスムーズに開閉することができる。
【図面の簡単な説明】
【００１２】
【図１】本発明の実施形態によるシャッター装置の一例を示す図で図２のＡ−Ａ線に対応する断面図である。
【図２】図１のＢ−Ｂ線に対応する断面図である。
【図３】（ａ）はスラットの開状態を説明する斜視図、（ｂ）は（ａ）のＣ−Ｃ線断面図である。
【図４】（ａ）はスラットの閉状態を説明する斜視図、（ｂ）は（ａ）のＤ−Ｄ線断面図である。
【発明を実施するための形態】
【００１３】
以下、本発明の実施形態によるシャッター装置について、図１乃至図４に基づいて説明する。
図１および図２に示すように、本実施形態によるシャッター装置１は、建物１１の開口部１２に設けられたサッシ１３の室外側に設けられている。シャッター装置１は、建物１１に固定されたフレーム２と、フレーム２の上部側に固定されたシャッターユニット３と、シャッターユニット３の下側においてフレーム２に固定された一対のガイドレール４，４と、を備えている。
【００１４】
フレーム２は、開口部１２の上側に配置された上枠２１（図１参照）と、開口部１２の下側に配置された下枠２２（図１参照）と、開口部１２の側方にそれぞれ配置され上枠２１および下枠２２と連結された一対の縦枠２３，２３（図２参照）と、上枠２１の上方に間隔をあけて配置された上板２４（図１参照）と、を有している。
上枠２１と上板２４との間には、シャッターユニット３が配置され、一対の縦枠２３，２３には、それぞれガイドレール４が固定されている。
【００１５】
図１に示すように、シャッターユニット３は、外殻となる筐体部３１と、筐体部３１の内部に設置されたシャフト３２および駆動モータ３３と、シャフト３２に巻回されたシャッターカーテン３４と、を有している。
シャッターカーテン３４は、駆動モータ３３の正逆回転により、シャフト３２に巻き上げられると開口部１２を開口状態とし、シャフト３２から繰り出されて下端部の巾木３４ａが下枠２２まで降下すると開口部１２を閉鎖状態としている。なお、図１の上部側では、シャッターカーテン３４が開口部１２を開口状態としている様子を示し、図１の下部側では、シャッターカーテン３４が開口部１２を閉鎖状態としている様子を示している。
シャッターカーテン３４の上下動は、その両端部を挟むガイドレール４，４によってガイドされている。
【００１６】
シャッターカーテン３４は、その上端部と下端部の巾木３４ａとの間に複数のスラット５，５…が互いに回動可能に上下方向に連結されている。なお、図１の上部側では、シャフト３２に巻回されたスラット５を省略している。
図３および図４に示すように、複数のスラット５，５…は、開口６ａが形成された固定羽６と、固定羽６の室外側に配置され固定羽６に対して回動可能に連結された可動羽７と、をそれぞれ備えている。
なお、図３（ａ）および図４（ａ）では、スラット５，５…の横幅方向の一方の端部近傍を示しているが、本実施形態では、スラット５，５…の他方の端部近傍の形状は、一方の端部近傍と同じ形状とし、図示を省略している。
【００１７】
図３および図４に示すように、固定羽６は、横幅方向に長尺の略長板状で縦断面視において室外側に突出する略円弧状に形成された板部６１と、板部６１の上端部に連続して形成され室外側を向く第１フック部６２と、第１フック部６２の付け根に形成され可動羽７の開作動をストップさせるストッパー部６３と、板部６１の上端部近傍から室外側に突出する第１突出部６４と、板部６１の下端部に形成され室外側を向く第２フック部６５と、第２フック部６５の付け根から室外側に突出するように形成され下側の可動羽７を押圧して開作動させる押圧部６６と、板部６１よりも室外側に配置され押圧部６６の上端面から上方に突出する第２突出部６７と、を有している。
【００１８】
板部６１には、横幅方向に長尺の長円形状に形成された開口６ａが形成されている。本実施形態では、複数の開口６ａが上下方向および横幅方向に互いに分離して形成されている。板部６１のうち開口６ａが形成されている部分は、開口６ａに隣接する部分と比べて板厚寸法が大きくなるように形成されている。なお、板部６１には、この板厚の違いによる凹凸が室外側の面に形成され、室内側の面には形成されていない。
【００１９】
可動羽７は、横幅方向に長尺の略長板状で縦断面視において室外側に突出する略円弧状に形成された板部７１と、板部７１の上端部に連続して形成され固定羽６の第１フック部６２内に回動可能に挿入された係止部７２と、固定羽６の第１フック部６２を外側から室内側に覆う断面略Ｌ字形状の第１係合部７３と、第１係合部７３の途中から分岐して上方に延びていて上側に位置するスラット５の固定羽６の下端部に形成された第２フック部６５内に回動可能に挿入された第２係合部７４と、板部７１から室内側に突出する第１リブ（リブ）７５および第２リブ７６と、を有している。
【００２０】
板部７１には、横幅方向の両端部のそれぞれの下部側に切欠き部７１ａが形成されていて、切欠き部７１ａの上側に、ガイドレール４に支持される支持部７１ｂが形成されている。支持部７１ｂは、第１リブ７５よりも上方に位置している。
係止部７２は、可動羽７が固定羽６の開口６ａを開閉動作する際の回動軸となっている。
第１係合部７３には、上側の固定羽６の押圧部６６の押圧を受ける受け面７３ａが形成されている。
【００２１】
第１リブ７５と第２リブ７６とは、上下方向に離間しており、第１リブ７５が第２リブ７６よりも上方に配置されている。第１リブ７５は、可動羽７の板部７１の高さ方向（上下方向）の中間部と係止部７２との間に配置され、第２リブ７６は、可動羽７の板部７１の高さ方向の中間部よりも下側に配置されている。
第１リブ７５は、横幅方向に延在し縦断面視において略Ｌ字型状に形成されていて、板部７１から室内側に突出する第１片７５ａと、第１片７５ａの先端部から下側（第２リブ７６側）に突出する第２片７５ｂと、を有している。
第２リブ７６は、横幅方向に延在し縦断面視において略Ｌ字型状に形成されていて、板部７１から室内側に突出する第１片７６ａと、第１片７６ａの先端部から上側（第１リブ７５側）に突出する第２片７６ｂと、を有している。
本実施形態では、板部７１の室内側の面から第１リブ７５の第２片７５ｂの室内側の端面までの長さ寸法は、板部７１の室内側の面から第２リブ７６の第２片７６ｂの室内側の端面までの長さ寸法よりも長くなるように形成されている。
【００２２】
上記のような固定羽６および可動羽７をそれぞれ有する複数のスラット５，５…は、上側の固定羽６の第２フック部６５と下側の可動羽７の第２係合部７４とが回動可能に嵌合することで連結されている。
また、複数のスラット５，５…は、固定羽６の第１フック部６２と可動羽７の係止部７２および第１係合部７３とが係合した状態で、可動羽７の板部７１が固定羽６の板部６１と対向する向きとなることで、固定羽６の開口６ａが閉鎖された閉状態となり、可動羽７が係止部７２を中心に固定羽６と離間する方向に回動することで、固定羽６の開口６ａが開口する開状態となっている。
【００２３】
そして、スラット５，５…を閉状態から開状態とするには、図４に示すようなスラット５，５…が閉状態のシャッターカーテン３４をわずかに下方移動させて、上側の固定羽６の押圧部６６で下側の可動羽７の受け面７３ａを押すようにする。これにより、図３に示すように、可動羽７が回動して固定羽６から離間する方向に開作動し、スラット５，５…が開状態となる。
この場合、可動羽７の開作動は第１係合部７３が固定羽６のストッパー部６３に当接することで停止し、固定羽６に対して可動羽７は所定角度、例えば鋭角で開いた状態に保持される。
【００２４】
なお、スラット５が閉状態となると、可動羽７の第１リブ７５は、第２片７５ｂの室内側の面が固定羽６の板部６１の室外側の面と当接している。なお、本実施形態では、スラット５が閉状態となると、第１リブ７５は、固定羽６の開口６ａと重なる部分と、幅方向に隣り合う開口６ａ間の板部分と当接する部分とを有している。
また、スラット５が閉状態となると、第２リブ７６は、第２片７６ｂの室内側の端面が固定羽６の板部６１とわずかな隙間をあけて対向し、固定羽６とは接触しないように構成されている。
そして、図４に示すように、閉状態のスラット５には、固定羽６の板部６１と可動羽７の板部７１との間に、第１リブ７５と第２リブ７６とに挟まれた空間８が形成される。
【００２５】
また、閉状態のスラット５は、可動羽７の板部７１の下端部近傍の室内側の面７１ｃと、固定羽６の第２突出部６７の室外側の面６７ａとがわずかな隙間をあけて対向し、可動羽７の第２リブ７６の第１片７６ａの下面７６ｃと、固定羽６の第２突出部６７の上端部６７ｂとがわずかな隙間をあけて対向している。
このため、閉状態のスラット５は、固定羽６と可動羽７との間に、下部側から光が入りにくい構造となっている。なお、閉状態のスラット５は、可動羽７の板部７１の下端部近傍の室内側の面７１ｃと、固定羽６の第２突出部６７の室外側の面との間のわずかな隙間から光が入り込んだ場合も、この光が固定羽６の第２突出部６７や可動羽７の第２リブ７６に遮られて固定羽６の開口６ａに到達しないように構成されている。また、室内側の光が室外側に漏れないように構成されている。
【００２６】
図１および図２に戻り、ガイドレール４は、シャッターカーテン３４の各スラット５，５…を上下動可能にガイドする断面略Ｕ字形状の受け入れ部４１と、縦枠２３に連結する取り付け部４２と、を有している。
受け入れ部４１の内部には、その開口を通して各スラット５，５…の固定羽６の横幅方向の端部と可動羽７の横幅方向の端部（支持部７１ｂ、図２参照）とが挿入されている。スラット５が開状態におけるスラット５の両端部の室内外方向の開き幅と、受け入れ部４１の室内外方向の開口幅とはほぼ同一となるように設定されている。
【００２７】
次に、本実施形態によるシャッター装置１の作用・効果について図面を用いて説明する。
上記の本実施形態によるシャッター装置１では、固定羽６の板部６１と可動羽７の板部７１との間に異物が入り込んだ状態で、スラット５が閉状態となっても、異物が固定羽６と可動羽７との間の空間８に収容されるため、この異物を挟んだことによってスラット５が厚くなることを防止できる。これにより、異物を挟んだスラット５が他のスラット５に引っ掛かることがなく、異物を挟んだ状態でも固定羽６と可動羽７とが建物１１などの開口部１２をスムーズに開閉することができる。
【００２８】
また、可動羽７には、第１リブ７５が形成されていることにより、スラット５が閉状態の際に、固定羽６の板部６１と可動羽７の板部７１とを離間させることができ、固定羽６の板部６１と可動羽７の板部７１との間に確実に空間８を形成することができる。
【００２９】
また、可動羽７の第１リブ７５は、板部７１の高さ方向の中央部と可動羽７の回動軸（係止部７２）との間に配置されていることにより、板部７１の高さ方向の中央部よりも下部側に配置されて、可動羽７の回動軸と離間する側に配置されている場合と比べて、スラット５が開状態から閉状態となる際の軌跡を小さくすることができる。このため、第１リブ７５は、可動羽７の高さ方向の中央部よりも下側に配置されている場合と比べて、可動羽７の第１リブ７５が固定羽６の板部６１と接触した際の衝撃を小さくすることができ、接触音を低減させることができる。
【００３０】
また、可動羽７には第２リブ７６が形成されていることにより、スラット５が閉状態の際に、空間８を介して固定羽６の開口６ａから室内側または室外側へ光が漏れることを防止できる。
【００３１】
以上、本発明によるシャッター装置の実施形態について説明したが、本発明は上記の実施形態に限定されるものではなく、その趣旨を逸脱しない範囲で適宜変更可能である。
例えば、上記の実施形態では、スラット５が閉状態の際に、可動羽７の第１リブ７５が固定羽６の板部６１と当接することで、固定羽６と可動羽７との間に空間８が形成されるように構成されているが、可動羽７に第１リブ７５が設けられていなくても、スラット５が閉状態の際に、固定羽６と可動羽７との間に空間８が形成されるように構成されていてもよい。
【００３２】
例えば、可動羽７の板部７１の室内側に凹部が形成されていて、スラット５が閉状態の際に、この凹部が固定羽６と可動羽７との間の空間８を構成するようにしてもよい。また、固定羽６の板部６１の室外側に凹部が形成されていて、スラット５が閉状態の際に、この凹部が固定羽６と可動羽７との間の空間８を構成するようにしてもよい。
また、可動羽７に第１リブ７５が設けられずに、固定羽６に板部６１から室外側に突出し、スラットが閉状態の際に、先端部が可動羽７の板部７１と当接するリブが設けられていて、スラットが閉状態の際に、このリブの先端部が可動羽７の板部７１と当接することで、固定羽６と可動羽７との間に空間８を形成するように構成されていてもよい。
また、このような固定羽６のリブが、可動羽７の第１リブ７５とともに設けられていてもよい。
【００３３】
また、上記の実施形態では、第１リブ７５は、可動羽７の板部７１の高さ方向の中間部と可動羽７の回動軸（係止部７２）との間に配置されているが、可動羽７の板部７１の高さ方向の中央部や中央部よりも下側に配置されていてもよい。なお、本実施形態では、可動羽７の回動軸が可動羽７の上端部近傍に設けられているが、可動羽７の回動軸が可動羽７の一の方向の端部近傍に設けられている場合は、可動羽７の一の方向における中央部よりも回動軸寄りに第１リブ７５が設けられていることが好ましい。
また、リブが固定羽６に設けられている場合は、固定羽６の板部６１の高さ方向の中間部と、可動羽７の係止部７２が係止する固定羽６の第１フック部６２との間にリブが配置されていることが好ましい。
【００３４】
また、上記の実施形態では、可動羽７の第１リブ７５は、スラット５が閉状態となると、固定羽６の開口６ａと重なる部分があるが、固定羽６の開口６ａと重なる部分ができない位置に設けられていてもよい。
また、上記の実施形態では、第２リブ７６は、スラット５が閉状態の際に、固定羽６の板部６１と当接しないように構成されているが、固定羽６の板部６１と当接するように構成されていてもよい。
【００３５】
また、上記の実施形態では、可動羽７の第２リブ７６および固定羽６１の第２突出部６７によって、スラット５が閉状態の際に、固定羽６と可動羽７との間に、下部側から光が入りにくい構造となっているが、可動羽７の第２リブ７６および固定羽６１の第２突出部６７が設けられていなくてもよい。また、可動羽７の第２リブ７６および固定羽６１の第２突出部６７のいずれか一方のみが設けられていてもよい。
また、第１リブ７５および第２リブ７６は、横幅方向に延在し、断面形状が略Ｌ字型状に形成されているが、例えば、横幅方向に間隔をあけて複数配置されていてもよいし、断面形状が略Ｌ字型状以外に形成されていてもよい。
【符号の説明】
【００３６】
１  シャッター装置
５  スラット
６  固定羽
７  可動羽
８  空間
１１  建物
１２  開口部
３４  シャッターカーテン
７２  係止部（回動軸）
７５  第１リブ（リブ）
７６  第２リブ
【図１】
0006322112.tif 000002
【図２】
0006322112.tif 000003
【図３】
0006322112.tif 000004
【図４】
0006322112.tif 000005